(57)【要約】【課題】大型化する傾向のある硝化槽や脱窒槽を用いる必要なく、且つ水槽中でのアンモニアの発生量の増減に対応して容易にその処理度合いを変更して、アンモニア等の窒素成分を除去する処理を行なうことができる魚介類用水浄化装置を提供する。【解決手段】水槽１４から取り出された塩化ナトリウムを含む水のアンモニア成分濃度をアンモニア測定手段にて測定し、この水を電解処理することにより水中に活性塩素種を供給し、この処理後の水中の残留塩素濃度を塩素測定手段にて測定し、水槽１４に返送する。この処理過程において、制御手段は、塩素測定手段にて測定された残留塩素濃度が所定の値を超える場合に浄化手段による活性塩素種の供給量を低減させ、且つアンモニア測定手段にて測定されるアンモニア濃度が所定の値を超える場合に浄化手段による活性塩素種の供給量を増大させるように制御する。【選択図】      図１
2004160349.tif 000002
【特許請求の範囲】
【請求項１】
魚介類を備蓄又は飼育する水槽の水を取り出し、水中のアンモニア成分を浄化して水槽に返送する魚介類用水浄化装置において、水槽内又は水槽から取り出された塩化ナトリウムを含む水のアンモニア成分濃度を検出するアンモニア測定手段と、アンモニア測定手段にてアンモニア成分濃度を検出した水を電解処理することにより水中に活性塩素種を供給する浄化手段と、浄化手段にて処理された後の水中の残留塩素濃度を検出する塩素測定手段と、塩素測定手段にて測定された残留塩素濃度が所定の値を超える場合に浄化手段による活性塩素種の供給量を低減させ、且つアンモニア測定手段にて測定されるアンモニア濃度が所定の値を超える場合に浄化手段による活性塩素種の供給量を増大させるように浄化手段を制御する制御手段を備えることを特徴とする魚介類用水浄化装置。
【請求項２】
魚介類を備蓄又は飼育する水槽の水を取り出し、水中のアンモニア成分を浄化して水槽に返送する魚介類用水浄化装置において、水槽内又は水槽から取り出された塩化ナトリウムを含む水のアンモニア成分濃度を検出するアンモニア測定手段と、アンモニア測定手段にてアンモニア成分濃度を検出した水を電解処理して水中に活性塩素種を供給した後にこの電解処理がなされた水と、電解処理がなされていない水とを混合する浄化手段と、上記電解処理がなされていない水が混合された水中の残留塩素濃度を検出する塩素測定手段と、塩素測定手段にて測定された残留塩素濃度が所定の値を超える場合に浄化手段における活性塩素種の供給量を低減させ、且つアンモニア測定手段にて測定されるアンモニア濃度が所定の値を超える場合に浄化手段における活性塩素種の供給量を増大させるように浄化手段を制御する制御手段を備えることを特徴とする魚介類用水浄化装置。
【請求項３】
魚介類を備蓄又は飼育する水槽の水を取り出し、水中のアンモニア成分を浄化して水槽に返送する魚介類用水浄化装置において、水槽内又は水槽から取り出された水のアンモニア成分濃度を検出するアンモニア測定手段と、アンモニア測定手段にてアンモニア成分濃度を検出した水に対して塩素化合物を添加することにより水中に活性塩素種を供給する浄化手段と、活性塩素種が供給された水中の残留塩素濃度を検出する塩素測定手段と、塩素測定手段にて測定された残留塩素濃度が所定の値を超える場合に浄化手段における活性塩素種の供給量を低減させ、且つアンモニア測定手段にて測定されるアンモニア濃度が所定の値を超える場合に浄化手段における活性塩素種の供給量を増大させるように浄化手段を制御する制御手段を備えることを特徴とする魚介類用水浄化装置。
【請求項４】
制御手段が、塩素測定手段にて測定された残留塩素濃度が所定の値を超える場合には、アンモニア測定手段にて測定されるアンモニア濃度が所定の値を超える場合であっても、浄化手段における活性塩素種の供給量を低減させるように浄化手段を制御するものであることを特徴とする請求項１乃至３のいずれかに記載の魚介類用水浄化装置。
【請求項５】
浄化手段による処理がなされた後、塩素測定手段にて残留塩素濃度が測定される前の水のｐＨを制御するｐＨ制御手段を具備することを特徴とする請求項１乃至４のいずれかに記載の魚介類用水浄化装置。
【請求項６】
浄化手段による処理がなされた後、塩素測定手段にて残留塩素濃度が測定される前の水に活性塩素種と反応する化合物を供給する中和手段を備えることを特徴とする請求項１乃至５のいずれかに記載の魚介類用水浄化装置。
【発明の詳細な説明】
【０００１】
【発明の属する技術分野】
本発明は、魚介類の養殖産業に用いる水を浄化する魚介類用水浄化装置に関するものである。
【０００２】
【従来の技術】
養殖槽で魚介類を高密度に養殖したり、一時的に蓄養したりする場合、養殖槽内の飼育水を循環経路を通して浄化しながら循環させることが行なわれている。このような循環系の養殖装置にあって、魚介類に与える餌や残餌に起因して、また魚介類の糞や代謝物に起因して、水中にアンモニアが発生すると、このアンモニアは水が循環されているうちに蓄積されることになる。そしてこのように水中にアンモニアが蓄積されると、魚介類の摂餌に影響を与えるおそれがあり、また蓄積のレベルが高くなると魚介類にアンモニア中毒を引き起こし、死に至らせるおそれもある。
【０００３】
そこで、循環経路に硝化槽を設け、アンモニアを硝化して亜硝酸、さらには硝酸へと硝酸態窒素に変換することが行われている。魚介類に対する毒性は、アンモニアや亜硝酸に対して硝酸は著しく低いので、アンモニアを硝化して硝酸態窒素にするようにしているのである。
【０００４】
しかし、アンモニアが硝酸態窒素に変換されて、水中に硝酸態窒素が徐々に蓄積されると、飼育水のｐＨ低下を引き起こし、また魚介類の摂餌にも影響を及ぼすことになる。
【０００５】
このために特許文献１、特許文献２、特許文献３等では、硝化槽と脱窒槽を併用するようにしている。すなわち、硝化槽でアンモニアを硝化して硝酸態窒素にした後、脱窒槽でこの硝酸態窒素の亜硝酸や硝酸を分解して窒素ガスにし、硝酸態窒素を水中から脱窒するようにしているのである。ここで、硝化槽では、酸素を必要とする好気性の硝化菌等によってアンモニアが硝化されており、好気性条件で硝化の反応が進行し、また脱窒槽では、嫌気性の脱窒菌等によって硝酸態窒素が分解されて脱窒されており、嫌気性条件で脱窒の反応が進行している。
【０００６】
【特許文献１】
特開昭６３−１８１９３８号公報
【特許文献２】
特開昭６４−６３３２５号公報
【特許文献３】
特開平３−２１６１２９号公報
【０００７】
【発明が解決しようとする課題】
一方、養殖槽で魚介類を高密度に養殖する場合、魚介類に十分な酸素を与えるために、酸素を常時供給している。このために、養殖槽や循環経路の水中には溶存酸素が多量に溶け込んでおり、系の全体は好気状態になっている。
【０００８】
系がこのように好気状態になっているのは、硝化槽における硝化においては都合が良いが、脱窒槽での脱窒反応は嫌気性条件でないと進行しないので、脱窒の効率が低くなるという問題が生じる。
【０００９】
そして、嫌気性条件で脱窒反応を行なわせるために、脱窒槽を嫌気状態にするには、脱窒槽の容積を大きく形成しなければならないという問題もあった。すなわち、脱窒槽に流入する水にはアンモニアその他の有機物も含まれており、これらの有機物は脱窒槽内で分解され、その際に酸素が消費されるので水中の溶存酸素が少なくなるため、脱窒槽を大きくすることにより、脱窒槽内の前段で水中の溶存酸素が十分に消費され、脱窒槽内の後段を嫌気状態にする必要があったものである。このため、装置全体の高コスト化や、脱窒細菌の栄養源となる糖類、アルコール類、水素ガス等の添加量の増加による高ランニングコスト化をもたらすという問題が生じる。
【００１０】
そこで本出願人らは、特願２００２−８６２９０号として、循環経路を循環する水を電気分解することによって活性塩素種を発生させて、この活性塩素種にて水中の窒素成分を除去するようにし、大型化する傾向のある硝化槽や脱窒槽を用いずに脱窒を行うようにした閉鎖循環式の養殖システムに関する出願を行ったものである。ここで、発生する活性塩素種が過大であると処理後の水中に活性塩素種が残存し、魚介類の生育に悪影響を与えてしまうおそれがあるが、このような活性塩素種の残存を防止するために、上記の本出願人らによる特許出願では、塩素中和槽により活性塩素種を中和することを提案している。また電気分解により生成される活性塩素量を予め低く設定しておくことにより活性塩素種の残存自体を防止することも考えられる。
【００１１】
しかしながら、水槽内で発生するアンモニア量は常に一定であるとは限らず、このため上記のようにして活性塩素種の残存を防止したとしても、アンモニアの発生量が多い場合には処理後の水中にアンモニアが残存してしまうおそれがあった。このような事態を防止するために電気分解の度合いを変更することも考えられるが、アンモニア量の変化を見越して適宜電気分解の度合いを変更するのは非常に煩雑な手間がかかってしまうものであった。
【００１２】
本発明は上記の点に鑑みてなされたものであり、大型化する傾向のある硝化槽や脱窒槽を用いる必要なく、且つ水槽中でのアンモニアの発生量の増減に対応して容易にその処理度合いを変更して、アンモニア等の窒素成分を除去する処理を行なうことができる魚介類用水浄化装置を提供することを目的とするものである。
【００１３】
【課題を解決するための手段】
請求項１に係る魚介類用水浄化装置は、魚介類を備蓄又は飼育する水槽１４の水を取り出し、水中のアンモニア成分を浄化して水槽１４に返送する魚介類用水浄化装置において、水槽１４内又は水槽１４から取り出された塩化ナトリウムを含む水のアンモニア成分濃度を検出するアンモニア測定手段と、アンモニア測定手段にてアンモニア成分濃度を検出した水を電解処理することにより水中に活性塩素種を供給する浄化手段と、浄化手段にて処理された後の水中の残留塩素濃度を検出する塩素測定手段と、塩素測定手段にて測定された残留塩素濃度が所定の値を超える場合に浄化手段による活性塩素種の供給量を低減させ、且つアンモニア測定手段にて測定されるアンモニア濃度が所定の値を超える場合に浄化手段による活性塩素種の供給量を増大させるように浄化手段を制御する制御手段を備えることを特徴とするものである。
【００１４】
請求項２に係る魚介類用水浄化装置は、魚介類を備蓄又は飼育する水槽１４の水を取り出し、水中のアンモニア成分を浄化して水槽１４に返送する魚介類用水浄化装置において、水槽１４内又は水槽１４から取り出された塩化ナトリウムを含む水のアンモニア成分濃度を検出するアンモニア測定手段と、アンモニア測定手段にてアンモニア成分濃度を検出した水を電解処理して水中に活性塩素種を供給した後にこの電解処理がなされた水と、電解処理がなされていない水とを混合する浄化手段と、上記電解処理がなされていない水が混合された水中の残留塩素濃度を検出する塩素測定手段と、塩素測定手段にて測定された残留塩素濃度が所定の値を超える場合に浄化手段における活性塩素種の供給量を低減させ、且つアンモニア測定手段にて測定されるアンモニア濃度が所定の値を超える場合に浄化手段における活性塩素種の供給量を増大させるように浄化手段を制御する制御手段を備えることを特徴とするものである。
【００１５】
請求項３に係る魚介類用水浄化装置は、魚介類を備蓄又は飼育する水槽１４の水を取り出し、水中のアンモニア成分を浄化して水槽１４に返送する魚介類用水浄化装置において、水槽１４内又は水槽１４から取り出された水のアンモニア成分濃度を検出するアンモニア測定手段と、アンモニア測定手段にてアンモニア成分濃度を検出した水に対して塩素化合物を添加することにより水中に活性塩素種を供給する浄化手段と、活性塩素種が供給された水中の残留塩素濃度を検出する塩素測定手段と、塩素測定手段にて測定された残留塩素濃度が所定の値を超える場合に浄化手段における活性塩素種の供給量を低減させ、且つアンモニア測定手段にて測定されるアンモニア濃度が所定の値を超える場合に浄化手段における活性塩素種の供給量を増大させるように浄化手段を制御する制御手段を備えることを特徴とするものである。
【００１６】
また請求項４の発明は、請求項１乃至３のいずれかにおいて、制御手段が、塩素測定手段にて測定された残留塩素濃度が所定の値を超える場合には、アンモニア測定手段にて測定されるアンモニア濃度が所定の値を超える場合であっても、浄化手段における活性塩素種の供給量を低減させるように浄化手段を制御するものであることを特徴とするものである。
【００１７】
また請求項５の発明は、請求項１乃至４のいずれかにおいて、浄化手段による処理がなされた後、塩素測定手段にて残留塩素濃度が測定される前の水のｐＨを制御するｐＨ制御手段を具備することを特徴とするものである。
【００１８】
また請求項６の発明は、請求項１乃至５のいずれかにおいて、浄化手段による処理がなされた後、塩素測定手段にて残留塩素濃度が測定される前の水に活性塩素種と反応する化合物を供給する中和手段を備えることを特徴とするものである。
【００１９】
【発明の実施の形態】
以下、本発明の実施の形態を説明する。
【００２０】
図１は本発明の実施の形態の第一例を示すものであり、実線矢印は水の経路を、点線矢印は制御用の信号経路をそれぞれ示している。水槽１４内には魚介類を飼育又は備蓄するための水が保持されており、本実施形態では塩化ナトリウム（ＮａＣｌ）を含む海水等の塩水が保持される。この魚介類が飼育又は備蓄される水槽１４には循環経路１５が接続してあり、循環経路１５に設けた循環ポンプ４を作動させることによって、水槽１４中の水を循環経路１５を通して循環させるようにしてある。そしてこの循環経路１５には、水の流れの方向に沿った順で、循環ポンプ４、アンモニア測定器５、電解槽１、塩素測定器２が接続してある。
【００２１】
上記のように形成される魚介類用水浄化装置にあって、魚介類の排泄物や食べ残された餌によって発生したアンモニアを含む水槽１４内の水は、水槽１４から循環ポンプ４を経由して、まずアンモニア測定器５に送られる。アンモニア測定器５は、水槽１４から取り出された塩化ナトリウムを含む水のアンモニア成分濃度を検出するアンモニア測定手段として設けられている。
【００２２】
尚、上記アンモニア測定器５は循環経路１５に設けずに、例えば水槽１４内に設けて水槽１４中の水のアンモニア濃度を直接測定するようにしても良い。これは、後述する実施の形態の第二例から第九例においても同様である。
【００２３】
次いで、水は電気分解槽１に送られる。この電気分解槽１は、アンモニア測定手段にてアンモニア成分濃度を検出した後の水を電解処理することにより水中に活性塩素種を供給する浄化手段（電解手段）として設けられている。
【００２４】
この電気分解槽１は白金めっきチタン板などからなる電解用の少なくとも一対の電極を内装しており、例えば予め設定された時間毎に、印可される電圧の向きを逆転させて電極の極性を反転させるようにしてある。この電気分解槽１での電解動作では、制御部３により電解電圧や電解電流値が制御されるものであり、電解電圧は３〜２０Ｖ程度、電解電流値は１０〜２０Ａ程度の範囲で制御されることが好ましい。
【００２５】
この電気分解槽１では、ＮａＣｌを含む水が電気分解され、陽極付近に次のような反応で、次亜塩素酸等の活性塩素種が生成される。
【００２６】
陽極：  Ｃｌ−＋２ＯＨ−  →  ＣｌＯ−＋Ｈ２Ｏ
そしてこのように生成した次亜塩素酸等の活性塩素種は、水中に含まれるアンモニアと反応して次のような反応でクロラミンを生成し、さらにこのクロラミン同士が反応して窒素を遊離し、塩素イオンに戻るという一連の反応が起こり、この遊離された窒素が窒素ガスとしてシステム外へ排出されることによって、水中のアンモニアなどの窒素成分が除去されるものである。ここで、アンモニアは亜硝酸に酸化されることなく窒素に変換されるので、魚介類に対する毒性が強い亜硝酸を生成してしまうようなことがなくなる。
【００２７】
クロラミン生成：  ＮＨ４＋＋ＣｌＯ−  →  ＮＨ２Ｃｌ＋Ｈ２Ｏ
窒素遊離      ：  ２ＮＨ２Ｃｌ＋２ＯＨ−  →  Ｎ２＋２Ｃｌ−＋２Ｈ２Ｏ
水の電解分解で発生する上記の次亜塩素酸は漂白剤として知られているように脱色作用があり、また殺菌剤でもあることから、脱色作用や殺菌作用も奏することとなる。
【００２８】
このように、電気分解槽１でアンモニア等の窒素成分が除去され、さらに脱色や殺菌がされた水は、塩素測定器２に送られる。この塩素測定器２は、浄化手段にて処理された後の水中に残留する活性塩素種の濃度（残留塩素濃度）を検出する塩素測定手段として設けられている。この塩素測定器２によって残留塩素濃度が測定された後の水は、水槽１４に返送される。
【００２９】
上記のアンモニア測定器５は水中のアンモニア濃度に応じた信号や、この信号を増幅した信号を制御部３に伝送するものであり、適宜のアンモニア測定用のセンサにて構成することができるが、例えばガス透過膜法を利用したアンモニア測定用のセンサを適用することができる。また塩素測定器２は水中の活性塩素種の濃度に応じた信号や、この信号を増幅した信号を制御部３に伝送するものであり、適宜の遊離塩素測定用のセンサにて構成することができるが、例えば電極によるポーラログラム法を利用した遊離塩素測定用のセンサを適用することができる。
【００３０】
上記の制御部３はＩＣ等から構成されるものであり、アンモニア測定器５にて測定される水中のアンモニア濃度及び塩素測定器２にて測定される水中の残留塩素濃度に基づき、電気分解槽１における電解条件を変更する制御を行うものであり、塩素測定手段にて測定された残留塩素濃度が所定の値を超える場合に浄化手段による活性塩素種の供給量を低減させ、且つアンモニア測定手段にて測定されるアンモニア濃度が所定の値を超える場合に浄化手段による活性塩素種の供給量を増大させるように浄化手段を制御する制御手段として設けられている。すなわちアンモニア測定器５にて測定されるアンモニア濃度が所定の基準濃度を超える場合には、電気分解槽１における電解電流の通電量を増大させるように電気分解槽１を制御し、塩素濃度測定器２にて測定される水中の残留塩素濃度が所定の基準濃度を超える場合には、電気分解槽１における電解電流の通電量を低減し、或いは電解電流の通電を停止するように制御を行うようにするものである。このときのアンモニアの基準濃度及び遊離塩素の基準濃度は、適宜設定されるが、例えばアンモニアの基準濃度を２ｐｐｍ、残留塩素濃度の基準濃度を１ｐｐｍとするものである。また電解電流の通電量を増大させ、或いは低減させる場合の通電量の増大量や低減量も適宜設定されるものであるが、例えばアンモニア測定器５にて測定されるアンモニア濃度が所定の基準濃度を超えることが検知されるごとに通電量を１Ａずつ増大させ、また塩素濃度測定器２にて測定される水中の残留塩素濃度が所定の基準濃度を超えることが検知されるごとに通電量を２Ａずつ低減するものである。
【００３１】
このようにアンモニア濃度と残留塩素濃度に基づいて電気分解槽１における電解条件を制御すると、水槽１４から取り出される水中のアンモニア濃度が変動する場合でも、このアンモニア濃度が高くなった場合には電解度合いを向上させてアンモニアの処理効率を向上し、水槽１４における魚介類の生息環境を良好な状態に維持することができ、またアンモニア濃度が低くなってアンモニアと反応しない活性塩素種の量が多くなり、水槽１４に返送される水の残留塩素濃度が高くなった場合には電解度合いを低減し、或いは電解を停止して、水槽１４中の残留塩素濃度が高くなることを防止し、水槽１４における魚介類の生息環境を良好な状態に維持することができるものである。
【００３２】
また制御手段は、塩素測定手段にて測定された塩素濃度が所定の値を超える場合には、アンモニア測定手段にて測定されるアンモニア濃度が所定の値を超える場合であっても、浄化手段における活性塩素種の供給量を低減させるように浄化手段を制御することが好ましく、すなわち、塩素測定器２にて測定される残留塩素濃度が上記の所定の基準濃度を超える場合には、アンモニア測定器５にて測定されるアンモニア濃度が上記の所定の基準濃度を超えている場合であっても、制御部３は電気分解槽１における電解電流の通電量を低減するように制御を行うようにすることが好ましい。塩素測定器２にて測定される残留塩素濃度が高い場合には、電解処理前のアンモニア濃度が高くても電解処理後にはアンモニア濃度が十分に低減されているものであり、またたとえ電解処理後のアンモニア濃度が高いとしても、アンモニアよりも活性塩素種の方が魚介類に対する毒性が高いため、残留塩素濃度の増大を優先的に抑制するものである。
【００３３】
図２は本発明の実施の形態の第二例を示すものであり、実線矢印は水の経路を、点線矢印は制御用の信号経路をそれぞれ示している。上記第一例と同様に水槽１４内には魚介類を飼育又は備蓄するための水として、ＮａＣｌを含む海水等の塩水が保持される。この魚介類が飼育又は備蓄される水槽１４に循環経路１５が接続してあり、循環経路１５に設けた循環ポンプ４を作動させることによって、水槽１４中の水を循環経路１５を通して循環させるようにしてある。
【００３４】
この循環経路１５には、水の流れの方向に沿った順で、循環ポンプ４、アンモニア測定器５、混合槽６、塩素測定器２が接続してある。循環経路１５にはアンモニア測定器５と混合槽６との間から分岐して混合槽６へと接続される分岐経路１６が設けられており、この分岐経路１６に電気分解槽１が接続されている。
【００３５】
上記のように形成される魚介類用水浄化装置にあって、魚介類の排泄物や食べ残された餌によって発生したアンモニアを含む水槽１４内の水は、水槽１４から循環ポンプ４を経由して、まずアンモニア測定器５に送られる。アンモニア測定器５は、水槽１４から取り出された塩化ナトリウムを含む水のアンモニア成分濃度を検出するアンモニア測定手段として設けられている。
【００３６】
次いで、水は分岐経路１６の分岐点において、一部が電気分解槽１に送られ、残りが混合槽６へと送られる。この電気分解槽１と混合槽６とは、アンモニア測定手段にてアンモニア成分濃度を検出した後の水を電解処理して水中に活性塩素種を供給した後にこの電解処理がなされた水と、電解処理がなされていない水とを混合する浄化手段を構成する。
【００３７】
上記電気分解槽１では、第一例と同様に、次亜塩素酸等の活性塩素種が生成して、水中のアンモニアなどの窒素成分が除去されるものであり、そして処理後の水が混合槽６へと送られる。
【００３８】
混合槽６では、上記のように電気分解槽１で電解処理が施された水と、この電解処理が施されていない水とが流入し、この二種類の水が混合槽６内で合流することにより混合される。
【００３９】
次いで、混合槽６から流出した水は、塩素測定器２に送られる。この塩素測定器２は、浄化手段にて処理された後の水中に残留する活性塩素種の濃度（残留塩素濃度）を検出する塩素測定手段として設けられている。この塩素測定器２によって残留塩素濃度が測定された後の水は、水槽１４に返送される。
【００４０】
上記のアンモニア測定器５は水中のアンモニア濃度に応じた信号や、この信号を増幅した信号を制御部３に伝送するものであり、第一例と同様に適宜のアンモニア測定用のセンサにて構成することができる。また塩素測定器２は水中の活性塩素種の濃度に応じた信号や、この信号を増幅した信号を制御部３に伝送するものであり、第一例と同様に適宜の遊離塩素測定用のセンサにて構成することができる。
【００４１】
上記の制御部３は、アンモニア測定器５にて測定される水中のアンモニア濃度及び塩素測定器２にて測定される水中の残留塩素濃度に基づき、電気分解槽１における電解条件を変更する制御を行うものであり、塩素測定手段にて測定された残留塩素濃度が所定の値を超える場合に浄化手段による活性塩素種の供給量を低減させ、且つアンモニア測定手段にて測定されるアンモニア濃度が所定の値を超える場合に浄化手段による活性塩素種の供給量を増大させるように浄化手段を制御する制御手段として設けられている。すなわち制御部３では、上記第一例と同様にして、アンモニア測定器５にて測定される水中のアンモニア濃度及び塩素測定器２にて測定される水中の残留塩素濃度に基づき、電気分解槽１における電解条件を変更する制御を行うものである。
【００４２】
このように構成される魚介類用水浄化装置は、高循環流量（例えば２００リットル／分以上）を必要とする飼育条件の魚種を飼育又は備蓄する場合に適している。すなわち、流量がある程度以上多い水を電解処理しても活性塩素種の濃度をある程度以上高くすることは難しいが、流量が少ないと電解により活性塩素種の濃度をかなりの程度高くすることができるものであり、更にこの電解処理後の水と電解処理がなされていない水とを混合することで流量を確保することができ、且つ流量が多い水を直接電解処理するよりも活性塩素種の濃度を高くすることができるものである。
【００４３】
図３は本発明の実施の形態の第三例を示すものである。上記第一例及び第二例と同様に水槽１４内には魚介類を飼育又は備蓄するための水が保持されているが、この水はＮａＣｌを含む海水等の塩水である必要はなく、淡水でも良い。この魚介類が飼育又は備蓄される水槽１４に循環経路１５が接続してあり、循環経路１５に設けた循環ポンプ４を作動させることによって、水槽１４中の水を循環経路１５を通して循環させるようにしてある。
【００４４】
この循環経路１５には、水の流れの方向に沿った順で、循環ポンプ４、アンモニア測定器５、活性塩素種供給器７、塩素測定器２が接続してある。
【００４５】
上記のように形成される魚介類用水浄化装置にあって、魚介類の排泄物や食べ残された餌によって発生したアンモニアを含む水槽１４内の水は、水槽１４から循環ポンプ４を経由して、まずアンモニア測定器５に送られる。アンモニア測定器５は、水槽１４から取り出された水のアンモニア成分濃度を検出するアンモニア測定手段として設けられている。
【００４６】
次いで、この水には、活性塩素種供給器７により活性塩素が供給される。この活性塩素種供給器７は、アンモニア測定手段にてアンモニア成分濃度を検出した後の水に対して塩素化合物を添加することにより水中に活性塩素種を供給する浄化手段（塩素化合物供給手段）として設けられている。
【００４７】
上記活性塩素種供給器７は、アンモニア測定器５と塩素測定器２との間において循環経路１５に合流する添加経路１７を接続し、この添加経路１７の一端に塩素化合物供給器８を接続すると共に他端において循環経路１５と合流させ、この経路途中にポンプ９を設けることにより構成されている。このとき塩素化合物供給器８は例えば１％次亜塩素酸ナトリウム水溶液等の塩素化合物水溶液を備蓄したタンクにて構成することができ、この塩素化合物供給器８から添加経路１７への塩素化合物水溶液の供給をポンプ９のオンオフで制御することができるように構成するものである。またポンプ９に代えてバルブ等を設けるようにしても良い。
【００４８】
そして塩素化合物供給器８から添加経路１７を介して、アンモニア測定器５と塩素測定器２との間において循環経路１５に塩素化合物が流入し、アンモニア濃度が測定された後の水にこの塩素化合物が添加される。塩素化合物供給器８からは、水に溶解することにより次亜塩素酸等の活性塩素種が生成する塩素化合物が供給されるようにするものであり、例えば塩素化合物供給器８として次亜塩素酸ナトリウムを供給するものが設けられる。
【００４９】
このように水中に塩素化合物が添加されて活性塩素種が供給されることにより、上記第一例と同様に水中のアンモニアなどの窒素成分が除去されるものであり、そして処理後の水が塩素測定器２に送られる。この塩素測定器２は、浄化手段にて処理された後の水中に残留する活性塩素種の濃度（残留塩素濃度）を検出する塩素測定手段として設けられている。この塩素測定器２によって残留塩素濃度が測定された後の水は、水槽１４に返送される。
【００５０】
上記のアンモニア測定器５は水中のアンモニア濃度に応じた信号や、この信号を増幅した信号を制御部３に伝送するものであり、第一例や第二例と同様に適宜のアンモニア測定用のセンサにて構成することができる。また塩素測定器２は水中の活性塩素種の濃度に応じた信号や、この信号を増幅した信号を制御部３に伝送するものであり、第一例や第二例と同様に適宜の遊離塩素測定用のセンサにて構成することができる。
【００５１】
上記制御部３は、アンモニア測定器５にて測定される水中のアンモニア濃度及び塩素測定器２にて測定される水中の残留塩素濃度に基づき、塩素化合物供給器８から供給される塩素化合物の供給量を制御するものであり、塩素測定手段にて測定された残留塩素濃度が所定の値を超える場合に浄化手段による活性塩素種の供給量を低減させ、且つアンモニア測定手段にて測定されるアンモニア濃度が所定の値を超える場合に浄化手段による活性塩素種の供給量を増大させるように浄化手段を制御する制御手段として設けられている。すなわち制御部３では、アンモニア測定器５にて測定されるアンモニア濃度が所定の基準濃度を超える場合には、塩素化合物供給器８から供給される塩素化合物量を増大させるように制御し、塩素濃度測定器２にて測定される水中の残留塩素濃度が所定の基準濃度を超える場合には、塩素化合物供給器８から供給される塩素化合物量を低減し、或いは塩素化合物の供給を停止するように制御を行うようにするものである。このときのアンモニアの基準濃度及び残留塩素濃度の基準濃度は、適宜設定されるが、例えばアンモニアの基準濃度を２ｐｐｍ、残留塩素濃度の基準濃度を１ｐｐｍとするものである。また塩素化合物の供給量を増大させ、或いは低減させる場合の供給量の増大量や低減量も適宜設定されるものであるが、例えばアンモニア測定器５にて測定されるアンモニア濃度が所定の基準濃度を超えることが検知されるごとに供給量を２ｍｌずつ増大させ、また塩素濃度測定器２にて測定される水中の残留塩素濃度が所定の基準濃度を超えることが検知されるごとに供給量を４ｍｌずつ低減するものである。
【００５２】
このようにアンモニア濃度と残留塩素濃度に基づいて塩素化合物供給器８における塩素化合物の供給量を制御すると、水槽１４から取り出される水中のアンモニア濃度が変動する場合でも、このアンモニア濃度が高くなった場合には塩素化合物の供給量を増大させてアンモニアの処理効率を向上し、水槽１４における魚介類の生息環境を良好な状態に維持することができ、またアンモニア濃度が低くなってアンモニアと反応しない活性塩素種の量が多くなり、水槽１４に返送される水の残留塩素濃度が高くなった場合には、塩素化合物の供給量を低減し、或いはその供給を停止して、水槽１４中の残留塩素濃度が高くなることを防止し、水槽１４における魚介類の生息環境を良好な状態に維持することができるものである。
【００５３】
また、制御手段は、塩素測定手段にて測定された塩素濃度が所定の値を超える場合には、アンモニア測定手段にて測定されるアンモニア濃度が所定の値を超える場合であっても、浄化手段における活性塩素種の供給量を低減させるように浄化手段を制御することが好ましく、すなわち塩素測定器２にて測定される残留塩素濃度が上記の所定の基準濃度を超える場合には、アンモニア測定器５にて測定されるアンモニア濃度が上記の所定の基準濃度を超えている場合であっても、制御部３は塩素化合物供給器８による塩素化合物の供給量を低減するよう制御を行うようにすることが好ましい。塩素測定器２にて測定される残留塩素濃度が高い場合には、塩素化合物の添加前のアンモニア濃度が高くても、添加後にはアンモニア濃度が十分に低減されているものであり、またたとえ塩素化合物の添加後のアンモニア濃度が高いとしても、アンモニアよりも活性塩素種の方が魚介類に対する毒性が高いため、残留塩素濃度の増大を優先的に抑制するものである。
【００５４】
図４乃至６は、本発明の実施の形態の第四乃至第六例を示すものであり、それぞれ上記第一乃至第三例において、循環経路１５における塩素測定器２の前段にｐＨ制御器１０を設けたものである。
【００５５】
すなわち、第四例では第一例において、循環経路１５における電気分解槽１と塩素測定器２との間にｐＨ制御器１０を設け、第五例では第二例において、循環経路１５における混合槽６と塩素測定器２との間にｐＨ制御器１０を設け、第６例では第三例において、循環経路１５における活性塩素種供給器７と塩素測定器２との間にｐＨ制御器１０を設けている。
【００５６】
このｐＨ制御器１０は、浄化手段による処理がなされた後の水のｐＨを制御するｐＨ制御手段として設けられているものであり、例えば酸性水溶液を貯蔵するタンクと、このタンクに接続したポンプと、水のｐＨを測定するｐＨ計と、測定したｐＨが所定の値を超えた際にポンプを運転させて前記タンクから酸性水溶液を水中に供給する制御装置とから構成することができる。これにより浄化手段による処理がなされた後の水のｐＨが所定の値を超えた場合に、この処理後の水にタンクから酸性水溶液を供給してｐＨを上昇させることができる。またアルカリ性水溶液を貯蔵するタンクと、このタンクに接続したポンプを設けると共に、測定したｐＨが所定の値をに満たない際に制御装置にてポンプを運転させて前記タンクからアルカリ性水溶液を水中に供給するようにすれば、浄化手段による処理がなされた後の水のｐＨが所定の値に満たない場合に、この処理後の水にタンクからアルカリ性水溶液を供給してｐＨを低減させることができる。
【００５７】
水のｐＨが変化すると水中の活性塩素種の形態が変化して、塩素測定器２における残留塩素濃度の測定結果に誤差が生じるおそれがあるが、このようにｐＨ制御手段を設けると、水の残留塩素濃度測定前のｐＨを一定の値に制御し、一定の条件にて残留塩素濃度を測定できるようにして、残留塩素濃度を正確に測定することができるようになる。
【００５８】
図７は本発明の実施の形態の第七例を示すものである。ここでは第一例において、電気分解槽１と塩素測定器２との間における循環経路１５に塩素中和器１１を設けたものである。この塩素中和器１１は、浄化手段による処理がなされた後の水に活性塩素種と反応する化合物（塩素中和物）を供給する中和手段として設けられており、アンモニア測定器５と塩素測定器２との間に混合槽１９を設けると共にこの混合槽１９に添加経路１８の一端を接続して添加経路１８を循環経路１５に合流させ、この添加経路１７の他端に塩素中和物供給器１２を接続すると共にその経路途中にポンプ１３を設けることにより構成されている。このとき塩素中和物供給器１２は例えば塩素中和物の水溶液を備蓄したタンクにて構成することができ、この塩素中和物供給器１２から添加経路１８への塩素中和物水溶液の供給をポンプ１３のオンオフで制御することができるように構成するものである。またポンプ１３に代えてバルブ等を設けるようにしても良い。
【００５９】
このような構成の塩素中和器１１は、第一例におけるものだけでなく、上記第二例のものにおいて、混合槽６と塩素測定器２との間に設け、また第三例のものにおいて、活性塩素種供給器７と塩素測定器２との間に設けることもできる。
【００６０】
このように構成される魚介類用水浄化装置では、第一乃至第三例と同様にして水槽１４における魚介類の生息環境を良好な状態に維持することができる。
【００６１】
また上記のような塩素中和器１１を設けると、浄化手段にて処理された水には、塩素中和器１１により塩素中和物が添加される。このときポンプ１３が作動することにより、塩素中和物供給器１２から添加経路１８を介して、電気分解槽１と塩素測定器２の間において循環経路１５に塩素中和物が流入し、浄化手段による処理後の水に塩素中和物が添加される。このとき塩素中和物供給器１２からはチオ硫酸ナトリウム等の塩素中和物が供給されるようにするものであり、例えば塩素中和物供給器１２としてチオ硫酸ナトリウム水溶液を供給するものが設けられる。
【００６２】
このような塩素中和手段を設けると、浄化手段にて処理された後、塩素測定手段にて残留塩素濃度が測定される前の水に塩素中和物を添加することができ、浄化手段にて処理された水中に活性塩素種が残存していても、これを塩素中和物と反応させて中和することができて、魚介類に対して毒性の高い活性塩素種が水槽１４中の水に供給されることを更に確実に防止することができるものである。
【００６３】
また上記のような塩素中和器１１を設ける代わりに、水中の活性塩素種を除去するための設備を設けても良く、例えば活性炭等を充填した吸着分離槽を設けて活性塩素種を水から分離するようにしても良い。
【００６４】
図８は本発明の実施の形態の第八例を示すものであり、上記第七例において、中和手段による塩素中和物の添加量を制御手段にて制御されるようにし、制御手段は、塩素測定手段にて測定された残留塩素濃度が所定の値を超える場合に浄化手段による活性塩素種の供給量を低減させると同時に中和手段による塩素中和物の添加量を増大させるように制御するようにしたものである。すなわち塩素中和器１１が制御部３による制御を受けて塩素中和物の供給量を調整するように制御されるものとなっており、例えばポンプ１３の出力が制御部３により制御されることで、塩素中和物の供給量が制御されるものである。
【００６５】
このように構成される魚介類用水浄化装置では、第七例と同様にして水槽１４における魚介類の生息環境を良好な状態に維持することができる。
【００６６】
また、制御部３は、塩素濃度測定器２にて測定される水中の残留塩素濃度が所定の基準濃度を超える場合に、電気分解槽１における電解電流の通電量を低減し、或いは電解電流の通電を停止するように制御を行うに際しては、これと同時に塩素中和器１１による塩素中和物の供給量を増大する制御を行うようにするものである。このときの塩素中和器１１による塩素中和物の供給量の増減量は適宜設定されるものであるが、例えば塩素濃度測定器２にて測定される水中の残留塩素濃度が所定の基準濃度を超えることが検知されるごとに供給量を２ｍｌずつ増大させるものである。また制御部３は塩素濃度測定器２にて測定される水中の残留塩素濃度が所定の基準濃度に満たない場合には、塩素中和器１１による塩素中和物の供給を停止するように制御することが好ましい。
【００６７】
このように塩素中和物の添加量を制御すると、浄化手段による処理後の水中の残留塩素濃度が高くなった場合に塩素中和物の供給量を増大させることから、残留塩素濃度を低減させるに際しての即効性が高く、魚介類に対しての有害性が高い活性塩素種が水槽１４中で増大することを更に確実に防止することができるものである。
【００６８】
また、塩素測定器２にて測定される残留塩素濃度が上記の所定の基準濃度を超える場合には、アンモニア測定器５にて測定されるアンモニア濃度が上記の所定の基準濃度を超えている場合であっても、制御部３は電気分解槽１における電解電流の通電量を低減するように制御すると同時に塩素中和器１１による塩素中和物の供給量を増大する制御を行うようにすることが好ましい。塩素測定器２にて測定される残留塩素濃度が高い場合には、電解処理前のアンモニア濃度が高くても電解処理後にはアンモニア濃度が十分に低減されているものであり、またたとえ電解処理後のアンモニア濃度が高いとしても、アンモニアよりも遊離塩素の方が魚介類に対する毒性が高いため、残留塩素濃度の増大を優先的に抑制するものであり、またこの場合も残留塩素濃度を塩素中和物の供給により低減させえるものであるから、残留塩素濃度を低減させるに際しての即効性が高く、魚介類に対しての有害性が高い活性塩素種が水槽１４中で増大することを更に確実に防止することができるものである。
【００６９】
図９は本発明の実施の形態の第九例を示すものであり、上記第八例において、循環経路１５における塩素中和器１１と塩素測定器２との間に、浄化手段による処理がなされた後の水のｐＨを制御するｐＨ制御手段であるｐＨ制御器１０を設けたものである。これは、ｐＨの変化によって水中の遊離塩素の形態が変化して、塩素測定器２における残留塩素濃度の測定結果に誤差が生じるため、ｐＨ制御器１０により水の残留塩素濃度測定前のｐＨをｐＨ制御器１０により一定の値に制御し、一定の条件にて残留塩素濃度を測定できるようにしたものである。特に塩素中和器１１を設ける場合には水に塩素中和物を添加することによりｐＨが変動しやすくなるため、このようなｐＨ制御器１０を設けることが好ましいものである。
【００７０】
またこの図９に示す構成のほか、図２に示す第二例において、塩素測定器２の前段、すなわち混合槽６と塩素測定器２との間に塩素中和器１１を設けると共に、更に塩素中和器１１と塩素測定器２との間にｐＨ制御器１０を設けても良く、また図３に示す第三例において、塩素測定器２の前段、すなわち活性塩素種供給器７と塩素測定器２との間に塩素中和器１１を設けると共に、更に塩素中和器１１と塩素測定器２との間にｐＨ制御器１０を設けても良い。
【００７１】
【発明の効果】
上記のように請求項１に係る魚介類用水浄化装置は、魚介類を備蓄又は飼育する水槽の水を取り出し、水中のアンモニア成分を浄化して水槽に返送する魚介類用水浄化装置において、水槽内又は水槽から取り出された塩化ナトリウムを含む水のアンモニア成分濃度を検出するアンモニア測定手段と、アンモニア測定手段にてアンモニア成分濃度を検出した水を電解処理することにより水中に活性塩素種を供給する浄化手段と、浄化手段にて処理された後の水中の残留塩素濃度を検出する塩素測定手段と、塩素測定手段にて測定された残留塩素濃度が所定の値を超える場合に浄化手段による活性塩素種の供給量を低減させ、且つアンモニア測定手段にて測定されるアンモニア濃度が所定の値を超える場合に浄化手段による活性塩素種の供給量を増大させるように浄化手段を制御する制御手段を備えるため、アンモニア等の窒素成分は水の電気分解で生成される活性塩素種と反応して除去されるものであり、大型化する傾向のある硝化槽や脱窒槽を用いる必要がなくなるものである。また活性塩素種は電気分解によって直ちに発生させることができ、立ち上げ期間が不要になるものであり、またアンモニアは活性塩素種との反応で、亜硝酸に酸化されることなく窒素に変換されるものであって、魚毒性の強い亜硝酸が生成されるようなことがなくなるものである。更に、魚介類の飼育数や給餌量が急激に変動するなどして水槽から取り出される水中のアンモニア濃度が変動する場合でも、このアンモニア濃度が高くなってアンモニア測定手段にて所定濃度以上のアンモニア濃度が検知された場合には水の電解度合いを向上させてアンモニアの処理効率を向上し、またアンモニア濃度が低くなってアンモニアと反応しない活性塩素種の量が多くなり水槽に返送される水の残留塩素濃度が高くなった場合には、水の電解度合いを低減して水槽中の残留塩素濃度が高くなることを防止して、水槽における魚介類の生息環境を良好な状態に維持することができるものである。
【００７２】
また請求項２に係る魚介類用水浄化装置は、魚介類を備蓄又は飼育する水槽の水を取り出し、水中のアンモニア成分を浄化して水槽に返送する魚介類用水浄化装置において、水槽内又は水槽から取り出された塩化ナトリウムを含む水のアンモニア成分濃度を検出するアンモニア測定手段と、アンモニア測定手段にてアンモニア成分濃度を検出した水を電解処理して水中に活性塩素種を供給した後にこの電解処理がなされた水と、電解処理がなされていない水とを混合する浄化手段と、上記電解処理がなされていない水が混合された水中の残留塩素濃度を検出する塩素測定手段と、塩素測定手段にて測定された残留塩素濃度が所定の値を超える場合に浄化手段における活性塩素種の供給量を低減させ、且つアンモニア測定手段にて測定されるアンモニア濃度が所定の値を超える場合に浄化手段における活性塩素種の供給量を増大させるように浄化手段を制御する制御手段を備えるため、アンモニア等の窒素成分は水の電気分解で生成される活性塩素種と反応して除去されるものであり、大型化する傾向のある硝化槽や脱窒槽を用いる必要がなくなるものである。また活性塩素種は電気分解によって直ちに発生させることができ、立ち上げ期間が不要になるものであり、またアンモニアは活性塩素種との反応で、亜硝酸に酸化されることなく窒素に変換されるものであって、魚毒性の強い亜硝酸が生成されるようなことがなくなるものである。更に、魚介類の飼育数や給餌量が急激に変動するなどして水槽から取り出される水中のアンモニア濃度が変動する場合でも、このアンモニア濃度が高くなってアンモニア測定手段にて所定濃度以上のアンモニア濃度が検知された場合には水の電解度合いを向上させてアンモニアの処理効率を向上し、またアンモニア濃度が低くなってアンモニアと反応しない活性塩素種の量が多くなり水槽に返送される水の残留塩素濃度が高くなった場合には、水の電解度合いを低減して水槽中の残留塩素濃度が高くなることを防止して、水槽における魚介類の生息環境を良好な状態に維持することができるものである。また更にこのように構成される魚介類用水浄化装置は、高循環流量（例えば２００リットル／分以上）を必要とする飼育条件の魚種を飼育又は備蓄する場合に適しているものであり、すなわち、流量が少ない水に対して電解処理を施す異により活性塩素種の濃度をかなりの程度高くすることができ、更にこの電解処理後の水と電解処理がなされていない水とを混合することで流量を確保することができると共に、流量が多い水を直接電解処理するよりも活性塩素種の濃度を高くすることができるものである。
【００７３】
また請求項３に係る魚介類用水浄化装置は、魚介類を備蓄又は飼育する水槽の水を取り出し、水中のアンモニア成分を浄化して水槽に返送する魚介類用水浄化装置において、水槽内又は水槽から取り出された水のアンモニア成分濃度を検出するアンモニア測定手段と、アンモニア測定手段にてアンモニア成分濃度を検出した水に対して塩素化合物を添加することにより水中に活性塩素種を供給する浄化手段と、活性塩素種が供給された水中の残留塩素濃度を検出する塩素測定手段と、塩素測定手段にて測定された残留塩素濃度が所定の値を超える場合に浄化手段における活性塩素種の供給量を低減させ、且つアンモニア測定手段にて測定されるアンモニア濃度が所定の値を超える場合に浄化手段における活性塩素種の供給量を増大させるように浄化手段を制御する制御手段を備えるため、アンモニア等の窒素成分は水に塩素化合物が添加されることにより生成する活性塩素種と反応して除去されるものであり、大型化する傾向のある硝化槽や脱窒槽を用いる必要がなくなるものである。また活性塩素種は塩素化合物を添加することにより直ちに発生させることができ、立ち上げ期間が不要になるものであり、またアンモニアは活性塩素種との反応で、亜硝酸に酸化されることなく窒素に変換されるものであって、魚毒性の強い亜硝酸が生成されるようなことがなくなるものである。更に、魚介類の飼育数や給餌量が急激に変動するなどして水槽から取り出される水中のアンモニア濃度が変動する場合でも、このアンモニア濃度が高くなってアンモニア測定手段にて所定濃度以上のアンモニア濃度が検知された場合には塩素化合物の供給量を増大させてアンモニアの処理効率を向上し、またアンモニア濃度が低くなってアンモニアと反応しない活性塩素種の量が多くなり水槽に返送される水の残留塩素濃度が高くなった場合には、塩素化合物の供給量を減少させて水槽中の残留塩素濃度が高くなることを防止して、水槽における魚介類の生息環境を良好な状態に維持することができるものである。
【００７４】
また請求項４の発明は、請求項１乃至３のいずれかにおいて、制御手段が、塩素測定手段にて測定された残留塩素濃度が所定の値を超える場合には、アンモニア測定手段にて測定されるアンモニア濃度が所定の値を超える場合であっても、浄化手段における活性塩素種の供給量を低減させるように浄化手段を制御するものであるため、浄化手段によりアンモニア濃度が十分に低減されている場合に活性塩素種の供給量を増大させることを防止することができ、且つアンモニア濃度の増大よりも残留塩素濃度の増大を優先的に抑制して、アンモニアよりも魚介類に対する毒性が高い活性塩素種が水槽中で増大することを抑制することができるものである。
【００７５】
また請求項５の発明は、請求項１乃至４のいずれかにおいて、浄化手段による処理がなされた後、塩素測定手段にて残留塩素濃度が測定される前の水のｐＨを制御するｐＨ制御手段を具備するため、水の残留塩素濃度測定前のｐＨを一定の値に制御し、一定の条件にて残留塩素濃度を測定できるようにして、残留塩素濃度を正確に測定することができるようになるものである。
【００７６】
また請求項６の発明は、請求項１乃至５のいずれかにおいて、浄化手段による処理がなされた後、塩素測定手段にて残留塩素濃度が測定される前の水に活性塩素種と反応する化合物を供給する中和手段を備えるため、浄化手段にて処理された水中に活性塩素種が残存していても、これを活性塩素種と反応する化合物と反応させて中和することができて、魚介類に対して毒性の高い活性塩素種が水槽中の水に供給されることを更に確実に防止することができるものである。
【図面の簡単な説明】
【図１】本発明の実施の形態の第一例を示す概略図である。
【図２】同上の第二例を示す概略図である。
【図３】同上の第三例を示す概略図である。
【図４】同上の第四例を示す概略図である。
【図５】同上の第五例を示す概略図である。
【図６】同上の第六例を示す概略図である。
【図７】同上の第七例を示す概略図である。
【図８】同上の第八例を示す概略図である。
【図９】同上の第九例を示す概略図である。
【符号の説明】
１４  水槽
【図１】
2004160349.tif 000003
【図２】
2004160349.tif 000004
【図３】
2004160349.tif 000005
【図４】
2004160349.tif 000006
【図５】
2004160349.tif 000007
【図６】
2004160349.tif 000008
【図７】
2004160349.tif 000009
【図８】
2004160349.tif 000010
【図９】
2004160349.tif 000011